(57)【特許請求の範囲】
【請求項１】
メンテナンス開口を備えた収納ボックスに仕切り板を、回動支軸を中心として、同ボックス内を電装品収納空間と他の収納空間とに仕切る仕切り位置と、仕切り板片面がメンテナンス開口に対面するメンテナンス位置との間で回動可能に取付け、上記仕切り板片面に電装品を取付けたことを特徴とする建設機械の電装品収納装置。
【請求項２】
上記仕切り板の回動支軸を、上記仕切り位置でメンテナンス開口から遠い側の端部に設定したことを特徴とする請求項１記載の建設機械の電装品収納装置。
【請求項３】
上記仕切り板の片面に複数の電装品を取付ける一方、収納ボックスに配線口を設け、上記各電装品と外部機器とを接続するハーネスの束としての幹ハーネスを、この配線口から収納ボックス内に導入し、かつ、上記仕切り板の回動中心線に沿って配線したことを特徴とする請求項１または２記載の建設機械の電装品収納装置。
【請求項４】
上記収納ボックスを、上記メンテナンス開口が機械の前方に開口する状態で運転席フロア上に設け、この収納ボックスをシートスタンドとして同ボックス上面に運転席のシートを取付けたことを特徴とする請求項１〜３のいずれか１項に記載の建設機械の電装品収納装置。
【発明の詳細な説明】
【技術分野】
【０００１】
本発明は油圧ショベル等の建設機械において、リレー等の電装品を収納ボックス内に外部からメンテナンス可能に収納する電装品収納装置に関するものである。
【背景技術】
【０００２】
ミニショベルと称される小型の油圧ショベルを例にとって背景技術を説明する。
【０００３】
この油圧ショベルは、図５に示すようにクローラ式の下部走行体１上に上部旋回体２が地面に対して鉛直な軸まわりに旋回自在に搭載され、この上部旋回体２の前部に作業アタッチメント３が装着されて構成される。
【０００４】
上部旋回体２はアッパーフレーム４を備え、図６にも示すようにこのアッパーフレーム４の上面(運転席フロア)４ａにシートスタンド５が設けられている。
【０００５】
このシートスタンド５の下方(エンジンルーム)に図示しないエンジンとその関連機器が設置されるとともに、シートスタンド５上に運転席６が台座７を介して設置され、この運転席６にオペレータが着座した状態で、運転席フロア４ａ上に設けられた各種操作レバー(図５中、８はその一つである走行レバー)が操作される。
【０００６】
図５中、９は運転席を上方から覆うキャノピ、１０は運転席フロア４ａの前端部に設けられた手摺りである。
【０００７】
なお、この明細書において、「左右」「前後」は、運転席６に着座したオペレータから見た方向性をいう。
【０００８】
このような油圧ショベルにおいて、図６に示すようにシートスタンド５を直方体の箱状に形成して収納ボックスとなし、内部に電装品を収納する構成、いいかえれば、電装品用の収納ボックスをシートスタンド５として兼用する構成をとるものが公知である。以下、シートスタンド５を収納ボックスという。
【０００９】
ここで、スペースの効率利用及び収納構造の簡素化を目的として、図７，８に示すように収納ボックス５に垂直な仕切り板１１を、同ボックス５内を左右二つの空間Ｓ１，Ｓ２に仕切る状態で固定し、一方の空間Ｓ１にリレー等の複数の電装品１２…、他方の空間Ｓ２にたとえばスパナやレンチ、ハンマー等の工具類１３…を収納する分割ボックス構造をとることが考えられる。以下、これを従来技術として説明する。
【００１０】
図７，８中、５ａは電装品１２…の点検、交換等のメンテナンス及び工具類１３…の出し入れのために収納ボックス５の前面に形成されたメンテナンス開口、１４はこのメンテナンス開口５ａを開閉する開閉カバー、１５，１５は同カバー１３の開閉中心となるヒンジである。
【００１１】
この従来技術においては、一方の空間Ｓ１(以下、これを電装品収納空間、他方の空間Ｓ２を工具類収納空間という)に四角板状のサポート部材１６がメンテナンス開口５ａに対面して固定され、このサポート部材１６の前面に電装品１２…が取付けられる。
【００１２】
また、収納ボックス５における電装品収納空間Ｓ１の底面に配線口１７が設けられ、電装品１２…と外部機器とを接続するハーネスの束としての幹ハーネス１８がこの配線口１６から導入され、この幹ハーネス１８から枝分かれしたハーネスが各電装品１１…に接続される。
【００１３】
以上の従来技術がそのまま示された特許文献は見当たらないが、運転席下に電装品収納空間を形成する技術は特許文献１〜３に示されている。
【先行技術文献】
【特許文献】
【００１４】
【特許文献１】特開２０００−９６６０９号公報
【特許文献２】特開２００２−２４２２２５号公報
【特許文献３】特開２００３−１３４６９号公報
【発明の概要】
【発明が解決しようとする課題】
【００１５】
図７，８に示す従来技術によると、収納ボックス５内が仕切り板１１によって固定サイズの空間Ｓ１，Ｓ２に仕切られ、かつ、工具類収納空間Ｓ２は電装品収納空間Ｓ１の余剰分として設定されるため、収納ボックスサイズが制限される条件下で、どうしてもこの工具類収納空間Ｓ２が狭くなる。
【００１６】
このため、工具類１３の収納量や収納できる工具類のサイズが制限され、出し入れもし難くなる等、使い勝手が悪いという問題が生じる。
【００１７】
対策として、サポート部材１６をメンテナンス開口５ａと直交する(仕切り板１１と平行となる)姿勢で収納ボックス５内に取付けることによって、電装品収納空間Ｓ１を縮小し、工具類収納空間Ｓ２を広げることが考えられる。
【００１８】
しかし、こうすると、電装品１２…のメンテナンス空間が不足し、メンテナンスが困難となるという弊害が生じる。
【００１９】
そこで本発明は、分割ボックス構造を前提として、収納ボックスサイズが制限される条件下で電装品のメンテナンス性を確保しながら、電装品収納空間と隣接する他の空間を大きくとることができる建設機械の電装品収納装置を提供するものである。
【課題を解決するための手段】
【００２０】
請求項１の発明は、メンテナンス開口を備えた収納ボックスに仕切り板を、回動支軸を中心として、同ボックス内を電装品収納空間と他の収納空間とに仕切る仕切り位置と、仕切り板片面がメンテナンス開口に対面するメンテナンス位置との間で回動可能に取付け、上記仕切り板片面に電装品を取付けたものである。
【００２１】
請求項２の発明は、請求項１の構成において、上記仕切り板の回動支軸を、上記仕切り位置でメンテナンス開口から遠い側の端部に設定したものである。
【００２２】
請求項３の発明は、請求項１または２の構成において、上記仕切り板の片面に複数の電装品を取付ける一方、収納ボックスに配線口を設け、上記各電装品と外部機器とを接続するハーネスの束としての幹ハーネスを、この配線口から収納ボックス内に導入し、かつ、上記仕切り板の回動中心線に沿って配線したものである。
【００２３】
請求項４の発明は、請求項１〜３のいずれかの構成において、上記収納ボックスを、上記メンテナンス開口が機械の前方に開口する状態で運転席フロア上に設け、この収納ボックスをシートスタンドとして同ボックス上面に運転席のシートを取付けたものである。
【発明の効果】
【００２４】
本発明によると、収納ボックスに仕切り板を、同ボックス内を電装品収納空間と他の収納空間とに仕切る仕切り位置と、片面がメンテナンス開口に対面するメンテナンス位置との間で回動可能に取付け、この仕切り板の片面に電装品を取付けたから、電装品のメンテナンス時以外は、電装品を収容し得るだけの最小限の電装品収納空間だけを残して他の収納空間を大きくとり、メンテナンス時には仕切り板をメンテナンス位置に回動させることにより必要なメンテナンス空間を確保することができる。
【００２５】
すなわち、分割ボックス構造において、収納ボックスサイズが制限される条件下(とくに、請求項４の発明のように収納ボックスがシートスタンドを兼ねるためにそのサイズの制限が厳しい状況下)で、電装品のメンテナンス性の確保と、他の空間の拡大とを両立させることが可能となる。
【００２６】
また、仕切り板が電装品取付用のサポート部材を兼ねるため、部品点数を削減してコストダウンを実現し得るとともに、収納ボックス内の有効スペースを広げることができる。
【００２７】
この場合、請求項２の発明によると、仕切り板の回動支軸(回動中心)を仕切り位置でメンテナンス開口から遠い側(収納ボックスの奥側)の端部に設定したから、仕切り板を、他の空間と反対側のできるだけ端部寄りに取付け、他の空間を通る径路で回動させる構成をとることができる。
【００２８】
これにより、他の空間を最大限に拡大することができる。
【００２９】
請求項３の発明によると、太い幹ハーネスを仕切り板の回動中心線に沿って配線したから、仕切り板の回動による幹ハーネスの移動量が少なくてすむ。このため、仕切り板の回動に備えた幹ハーネスの処理が簡単となる。
【図面の簡単な説明】
【００３０】
【図１】本発明の実施形態に係る電装品収納装置において仕切り板を仕切り位置にセットした状態の斜視図である。
【図２】同仕切り板をメンテナンス位置にセットした状態の斜視図である。
【図３】図１のＩＩＩ−ＩＩＩ線拡大断面図である。
【図４】図３のＩＶ−ＩＶ線水平断面図である。
【図５】本発明の適用例である小型油圧ショベルの概略側面図である。
【図６】同ショベルの運転席まわりの分解斜視図である。
【図７】従来技術を示す図１相当図である。
【図８】従来技術を示す拡大水平断面図である。
【発明を実施するための形態】
【００３１】
本発明の実施形態を図１〜図４によって説明する。
【００３２】
実施形態は、背景技術の説明に合わせて、小型油圧ショベルのシートスタンドを兼ねる収納ボックスを分割ボックス構造として電装品と工具類を収納する場合を例にとっている。
【００３３】
実施形態において、
(ｉ)  収納ボックス２１がシートスタンドとして図５，６に示す運転席フロア４ａ上に設置される点、
(ｉｉ)  収納ボックス２１が直方体の箱状に形成され、前面のメンテナンス開口２１ａが、ヒンジ２２，２２を中心に回動する開閉カバー２３によって開閉される点、
(ｉｉｉ)  この収納ボックス２１内が垂直な仕切り板２４によって左側の電装品収納空間Ｓ３と右側の工具類収納空間Ｓ４とに仕切られ、電装品収納空間Ｓ３にリレー等の電装品２５…、工具類収納空間Ｓ４にスパナやレンチ、ハンマー等の工具類２６…(図４に示す)がそれぞれ収納される点
の基本構成は、図７，８に示す従来技術と同じである。
【００３４】
仕切り板２４は、下端に水平に折り曲げられた支持辺部２４ａを有し、収納ボックス２１の奥側の端部でこの支持辺部２４ａが垂直な回動支軸(図ではボルトとして示す)２７によって同ボックス２１の底面に支持されている。
【００３５】
これにより、仕切り板２４が、電装品取付用のサポート部材を兼ね、かつ、図１，３及び図４の実線で示すように収納ボックス２１内を仕切る仕切り位置と、図２及び図４の仮想線で示すように片面がメンテナンス開口２１ａに対面するメンテナンス位置との間で回動可能に取付けられている。
【００３６】
各図中、Ｏは回動支軸２７を通る鉛直線、つまり仕切り板２４の回動中心線である。
【００３７】
電装品２５…は、この仕切り板２４の片面(メンテナンス位置でメンテナンス開口２１ａに対面する面)に取付けられ、仕切り板２４がメンテナンス位置にセットされた状態で、外部からメンテナンス開口２１ａを介して電装品２５…の点検、交換等のメンテナンスが行われる。
【００３８】
また、収納ボックス２１の底壁における電装品収納空間Ｓ３に位置する左側端部に配線口２８が設けられ、各電装品２５…と外部機器とを接続するハーネスの束としての幹ハーネス２９がこの配線口２８から収納ボックス２１内(電装品収納空間Ｓ３)に導入される。
【００３９】
配線口２８は、ボックス前後方向中間部における回動支軸２７に近い位置に設けられ、この配線口２８に通された幹ハーネス２９が回動中心線Ｏに沿って立ち上げられ、この幹ハーネス２９から枝分かれしたハーネスが各電装品２５…に接続される。各図において、幹ハーネス２９を太線、枝ハーネスを中太線で示している。
【００４０】
この構成において、仕切り板２４は、メンテナンス時以外は図１，３及び図４の実線で示すように仕切り位置にセットされ、この仕切り板２４によって収納ボックス２１内が電装品、工具類両収納空間Ｓ３，Ｓ４に分割される。
【００４１】
そして、メンテナンス時には、仕切り板２４を図２及び図４の二点鎖線で示すようにメンテナンス位置に回動させて電装品２５…をメンテナンス開口２１ａに対面させ、この状態で外部からメンテナンス開口２１ａを介して点検、交換等のメンテナンス作業を行えばよい。
【００４２】
なお、仕切り板２４の回動時やメンテナンス作業時に工具類収納空間Ｓ４に収納した工具類が邪魔になる場合は、これを同空間Ｓ４から一旦取り出せばよい。
【００４３】
この構成によると、電装品２５…を収容し得るだけの最小限の電装品収納空間Ｓ３だけを残して工具類収納空間Ｓ４を大きくとりながら、メンテナンス時には必要なメンテナンス空間を確保することができる。
【００４４】
すなわち、分割ボックス構造において、収納ボックスサイズが制限される条件下(とくに、この実施形態のように収納ボックス２１がシートスタンドを兼ねるためにそのサイズの制限が厳しい状況下)で、電装品２５のメンテナンス性の確保と、工具類収納空間Ｓ４の拡大とを両立させることが可能となる。
【００４５】
また、仕切り板２４が電装品取付用のサポート部材を兼ねるため、部品点数を削減してコストダウンを実現し得るとともに、収納ボックス２１内の有効スペースを広げることができる。
【００４６】
一方、仕切り板２４の回動支軸(回動中心)２５を仕切り位置でメンテナンス開口２１ａから遠い側(収納ボックスの奥側)の端部に設定したから、仕切り板２４を、工具類収納空間Ｓ４と反対側(左側)のできるだけ端部寄りに取付け、工具類収納空間Ｓ４を通る径路で回動させる構成をとることができる。
【００４７】
これにより、工具類収納空間Ｓ４を最大限に拡大することができる。
【００４８】
また、太い幹ハーネス２９を仕切り板２４の回動中心線Ｏに沿って配線したから、仕切り板２４の回動による幹ハーネス２９の移動量が少なくてすむ。このため、仕切り板２４の回動に備えた幹ハーネス２９の処理(弛み代の始末等)が簡単となる。
【００４９】
他の実施形態
(１)  仕切り板２４の回動支軸として大径の中空軸を用い、この中空軸の内部を配線口として幹ハーネス２９を収納ボックス２１内(電装品収納空間Ｓ３)に導入する構成をとってもよい。
【００５０】
こうすれば、仕切り板２４の回動による幹ハーネス２９の移動量をさらに少なくすることができる。
【００５１】
(２)  上記実施形態では、仕切り板２４を下端側のみで回動支軸２７によって回動可能に支持する構成をとったが、上下両側で支持してもよい。
【００５２】
(３)  上記実施形態では、収納ボックス２１がシートスタンドを兼ねる場合を例示したが、設置スペースを確保できる機械の場合には、収納専用ボックスとしてシートスタンド以外の部分に設置してもよい。
【００５３】
この場合、収納ボックス２１を縦長として内部を水平な仕切り板２４で上下に分割し、メンテナンス時に仕切り板２４を上向きまたは下向きに回動させる構成をとってもよい。
【００５４】
(４)  上記実施形態では、分割される収納ボックス内の他の空間Ｓ４に工具類２６…を収納する場合を例示したが、電装品と区画するのが望ましく、かつ、必要に応じて取り出すことができる他のものを収納してもよい。
【符号の説明】
【００５５】
４ａ  運転席フロア
２１  収納ボックス
２１ａ  メンテナンス開口
２４  仕切り板
２４ａ  仕切り板の支持辺部
Ｓ３  電装品収納空間
Ｓ４  工具類収納空間
２５  電装品
２６  工具類
２７  回動支軸
Ｏ  回動中心線
２８  配線口
２９  幹ハーネス
【図１】
0005392194.tif 000002
【図２】
0005392194.tif 000003
【図３】
0005392194.tif 000004
【図４】
0005392194.tif 000005
【図５】
0005392194.tif 000006
【図６】
0005392194.tif 000007
【図７】
0005392194.tif 000008
【図８】
0005392194.tif 000009